(57)【特許請求の範囲】
【請求項１】
基地局と移動局の制御スロットの間で無線回線を介して送受信される制御チャネルを用いて、前記基地局に前記移動局を位置登録する移動局の位置登録方法であって、
前記移動局において、リンクチャネルの確立を要求するリンクチャネル確立要求メッセージに、前記移動局を識別する移動局識別番号を付加して前記基地局に送信するステップと、
前記基地局において、前記リンクチャネル確立要求メッセージを受信すると、前記移動局にリンクチャネルの割当てを示すリンクチャネル割当メッセージを返信するとともに、前記移動局識別番号を取得し保管するステップと、
前記移動局において、前記リンクチャネル割当メッセージを受信すると、位置登録を要求する位置登録要求メッセージに、前記移動局識別番号を付加して前記基地局に送信するステップと、
前記基地局において、前記位置登録要求メッセージを受信すると、前記位置登録要求メッセージに付加された前記移動局識別番号が、前記基地局に保管されていることが確認された場合に、前記移動局の位置登録が行われ、位置登録の受付を示す位置登録受付メッセージに前記移動局識別番号を付加して前記移動局に返信するステップと、
前記移動局において、前記位置登録受付メッセージを受信すると、前記位置登録受付メッセージに付加された前記移動局識別番号が、前記移動局を示すことが確認された場合に、前記位置登録受付メッセージを受付けるステップとを含むことを特徴とする移動局の位置登録方法。
【請求項２】
リンクチャネル割当メッセージに、前記位置登録要求メッセージおよび前記位置登録受付メッセージを送受信する際に使用する前記基地局および前記移動局の制御スロットを割当てるタイミング情報を付加したことを特徴とする請求項１に記載の移動局の位置登録方法。
【請求項３】
順序立てて送受信される前記リンクチャネル確立要求メッセージ、前記リンクチャネル割当メッセージ、位置登録要求メッセージおよび位置登録受付メッセージの間に生じる前記基地局と前記移動局の未使用の制御スロットを使用して、順序立てが不要な制御メッセージを一括あるいは分割して送受信するステップを、更に含むことを特徴とする請求項１または２に記載の移動局の位置登録方法。
【請求項４】
請求項１から請求項３のいずれか１項に記載の移動局の位置登録方法が実行される前記基地局および前記移動局と、前記基地局とネットワークを介して接続され、前記移動局の登録の有無の認証ならびに前記移動局および前記基地局の運用状態を監視する上位装置を備えたことを特徴とする移動体通信システム。
【請求項５】
請求項１から請求項３のいずれか１項に記載の移動局の位置登録方法が実行される前記基地局および前記移動局を備え、前記基地局は、更に前記移動局の登録の有無の認証ならびに前記移動局および前記基地局の運用状態を監視する機能を有するとともに、前記基地局は他の基地局とネットワークを介して相互に接続されていることを特徴とする移動体通信システム。
【発明の詳細な説明】
【技術分野】
【０００１】
この発明は、移動体通信システムにおいて、無線回線を介して、移動局の位置を基地局に登録する位置登録方法に関するものである。
【背景技術】
【０００２】
従来、無線回線を介して基地局へ接続されるＰＨＳ（Personal  Handy  phone  System）や携帯電話などの移動局において、移動局の位置を基地局に位置登録する際には、通常、無線回線の制御チャネルと通信チャネルを使用しているのだが、この場合、通信チャネルを利用することにより通話に用いる通信チャネル数の減少や位置登録完了後に再度制御チャネルへの同期の必要性が生じるため、この回避として、例えば制御チャネルの個別セル用チャネルＳＣＣＨおよび一括呼出しチャネルＰＣＨを用いた位置登録方法などが提案されている。（例えば、特許文献１参照）
【０００３】
【特許文献１】特開平１０−３０４４２７号公報（第３頁、第１図）
【０００４】
そして、特許文献１を含め、制御チャネルを用いて基地局と移動局の間の送受信は、通常、以下のように行なわれる。
【０００５】
図６に、一般的な基地局の送受信スロット構成を示す。図６において、（ａ）は１つのフレーム７１の送受信スロット構成を示しており、そのフレーム長は５ｍｓｅｃである。フレーム７１は、順に送信スロット７２と受信スロット７３から構成され、さらに送信スロット７２は、順に一つのスロットからなる制御スロット７２ａと複数のスロットからなる通信スロット７２ｂに、また受信スロット７３は、順に一つのスロットからなる制御スロット７３ａと複数のスロットからなる通信スロット７３ｂにより構成されている。
【０００６】
そして（ｂ）に示すように、このフレーム７１が、通常２０個（順に７１ａ〜７１ｔと記す）連設され、全フレーム７４として構成されている。この全フレーム７４のフレーム長１００ｍｓｅｃ（＝５×２０ｍｓｅｃ）を送受信周期として、移動局と基地局の間で送受信が繰り返される。
【０００７】
この図６に示す送受信スロット構成において、基地局と移動局の制御スロット間の制御チャネルによる制御メッセージの送受信動作を見れば、基地局の全フレーム７４（フレーム７１ａ〜７１ｔ）における各々２０個の受信スロット７３の制御スロット７３ａは、移動局の制御スロットから送信される制御メッセージの受信が可能なのであるが、基地局から移動局への制御メッセージの送信は、移動局の電力の消耗を極力減らして、長時間の待受け状態を得るために、基地局の全フレーム７４（フレーム７１ａ〜７１ｔ）における各々２０個の送信スロット７２の制御チャネル７２ａのうち、最初のフレーム７１ａの送信スロット７２の制御スロット７２ａのみを用いて移動局に制御メッセージを送信し、移動局は、基地局から送信される制御メッセージにタイミングを合わせて移動局で受信していた。
【発明の開示】
【発明が解決しようとする課題】
【０００８】
前述した通り、基地局の制御スロットから移動局の制御スロットに対して送信される制御チャネル（例えば、基地局情報などに用いる報知チャネルＢＣＣＨ、移動局の呼出しなどに用いる一括呼出しチャネルＰＣＨ、移動局の位置登録などに用いる個別セル用チャネルＳＣＣＨおよび高速付随制御チャネルＦＡＣＣＨ）による各制御メッセージは、移動局の電力の消耗を極力減らし、長時間の待受け状態を得るために、図６で示した全フレーム７４のフレーム長１００ｍｓｅｃ（＝５×２０ｍｓｅｃ）の送受信周期毎に順に送信されている。
【０００９】
このことは、前述した特許文献１に記載の移動局の位置登録方法においても同じである。すなわち、特許文献１に記載されている制御チャネルの一括呼び出しチャネルＰＣＨによる位置登録受付メッセージなどにおいても、図６に示した、フレーム７４の送受信周期１００ｍｓｅｃ（＝５×２０ｍｓｅｃ）毎に送信が行われることになる。
【００１０】
以上示した、基地局から移動局への制御メッセージの送信は、前述した通り移動局の電力の消耗を極力減らして、長時間の待受け状態を得るためには非常に有効な手段なのであるが、例えば電車やバス等による高速移動により移動局の大量移動が生じ、一つの基地局に対して複数の移動局の位置登録要求が同時期に発生するような場合においては、基地局における全フレーム７４（フレーム７１ａ〜７１ｔ）を構成する最初のフレーム７１ａの送信スロット７２の制御スロット７２ａのみから送受信周期１００ｍｓｅｃ（＝５×２０ｍｓｅｃ）毎に、順に各制御メッセージが送信されるが故に、制御メッセージの送信に相当の時間を要することになり、その結果、移動局の位置登録が完了して通話サービス可能状態になるまでに相当の時間がかかるという問題があった。
【００１１】
また、基地局と移動局間の制御メッセージなどの送受信は、決められたスロットとそのスロットに割当てた周波数により行われるのであるが、フレーム７１を見れば、送信スロット７２の通信スロット７２ｂおよび受信スロット７３の通信スロット７３ｂは、複数のスロットを有しているのに対し、送信スロット７２の制御スロット７２ａおよび受信スロット７３の制御スロット７３ａは、それぞれ一つのスロットを有するのみであるため、例えば特許文献１に示す位置登録方法において、複数の移動局が基地局に位置登録を要求するような場合においては、基地局と移動局間の制御チャネルを用いた制御メッセージが、どの移動局を示すものか識別出来ない問題が生じる。
【００１２】
この発明は上記のような問題を解決するためになされたもので、図６で示した基地局にかかる全フレーム７４（フレーム７１ａ〜７１ｔ）において、使用されていない２番目以降のフレーム７１ｂ〜７１ｔの送信スロット７２の制御スロット７２ａを用いて、複数の移動局の位置登録に係る各制御メッセージを送信可能にすることにより、移動局の電力の消耗を極力減らして、長時間の待受け状態を維持するとともに、基地局に対して複数の移動局が位置登録要求を同時期に要求するような場合においても、移動局の位置登録を早く完了させて通話サービス可能状態を実現する移動局の位置登録方法を提供するものである。
【課題を解決するための手段】
【００１３】
この発明に係る移動局の位置登録方法は、基地局と移動局の制御スロットの間で無線回線を介して送受信される制御チャネルを用いて、移動局において、リンクチャネルの確立を要求するリンクチャネル確立要求メッセージに、移動局を識別する移動局識別番号を付加して基地局に送信するステップと、リンクチャネル確立要求メッセージを受信した基地局において、リンクチャネルの割当を示すリンクチャネル割当メッセージを移動局に返信するとともに、移動局識別番号を取得し保管するステップと、リンクチャネル割当メッセージを受信した移動局において、位置登録を要求する位置登録要求メッセージに移動局識別番号を付加して基地局に送信するステップと、位置登録要求メッセージを受信した基地局において、位置登録要求メッセージに付加された移動局識別番号が、基地局に保管されていることが確認された場合に、移動局の位置登録を行い、位置登録の受付を示す位置登録受付メッセージに移動局識別番号を付加して移動局に返信するステップと、位置登録受付メッセージを受信した移動局において、位置登録受付メッセージに付加された移動局識別番号が、該移動局を示すことが確認された場合、受付メッセージを受付けるステップを含むものである。
【発明の効果】
【００１４】
この発明によれば、移動局を識別する移動局識別番号を移動局に割当て、移動局と基地局の間において、移動局識別番号を移動局の位置登録に係る各制御メッセージに付加して送受信することにより、移動局および基地局において、移動局識別番号を確認しながら移動局の位置登録が行えるようにしたことにより、基地局において従来未使用であった制御スロットを使用可能にしたため、従来からの移動局の電力の消耗を極力減らすことによる長時間の待受け状態の維持とともに、例えば、電車やバス等による高速移動に伴う移動局の大量移動により、基地局に対する複数の移動局の位置登録要求が同時期に発生するような場合においても、短時間で複数の移動局の位置登録を完了させて通話サービス可能な状態を実現する移動局の位置登録方法を提供できる効果がある。
【発明を実施するための最良の形態】
【００１５】
実施の形態１
まず、図１〜図３を参照して、この発明の実施の形態１に係る移動局の位置登録方法について説明する。
【００１６】
図１は移動体通信システムの概要を示した概念図である。
【００１７】
図１において、位置登録エリア１内には基地局２が設けられている。また位置登録エリア１内には、当初より位置登録エリア１内にあって、すでに無線回線３を介して通話可能な状態にある移動局４ａ〜４ｃと、新たに位置登録エリア１内に移動したことにより、無線回線３を介して基地局２に位置登録を要求する移動局５ａ〜５ｃがある。この移動局４ａ〜４ｃおよび移動局５ａ〜５ｃは一例を示したものであり、実際の移動局の数を限定するものではない。また基地局２は有線回線によりネットワーク６を介して、位置登録エリア１内にある基地局２および移動局４ａ〜４ｃ，５ａ〜５ｃの運用状態の監視ならびに位置登録時に移動局５ａ〜５ｃの認証などを行う上位装置７に接続されている。
【００１８】
図２は、一実施例として、基地局２に移動局５ａを位置登録する過程を示したシーケンス図である。
【００１９】
図２において、移動局５ａは、他の移動局と区別するための移動局識別番号８が割当てられ保持している。また、移動局５ａは、後述する基地局２からの位置登録受付メッセージに付加された移動局識別番号８が自局（この場合、移動局５ａ）のものであることを確認して、この位置登録受付メッセージを受付ける識別番号比較部Ａ１０を有している。また基地局２は、後述するリンクチャネル確立要求メッセージに付加された移動局識別番号８を取得し保管するための識別番号保管部１１を有し、また後述する位置登録要求メッセージに付加された移動局識別番号８が識別番号保管部１１に保管されていることを確認して、移動局５ａの位置登録処理を行う識別番号比較部Ｂ１２を有している。
【００２０】
また１３は移動局５ａから基地局２に制御チャネルの個別セル用チャネルＳＣＣＨで送信される移動局識別番号８が付加されたリンクチャネル確立要求メッセージを示し、１４は基地局２から移動局５ａに制御チャネルの個別セル用チャネルＳＣＣＨで送信されるリンクチャネル割当メッセージを示し、１５は移動局５ａから基地局２に制御チャネルの高速付随制御チャネルＦＡＣＣＨで送信される移動局識別番号８が付加された位置登録要求メッセージを示し、１６は基地局２から移動局５ａに制御チャネルの高速付随制御チャネルＦＡＣＣＨで送信される移動局識別番号８が付加された位置登録受付メッセージを示している。
【００２１】
図３は、一実施例として、移動局５ａおよび５ｂを基地局２に同時期に位置登録する場合に、移動局５ａおよび５ｂの位置登録過程を、制御スロットに対する割当動作から示したシーケンス図である。
【００２２】
図３において、（ａ）は、図６に示した基地局２に係るスロット構成と同じであるため、同一符号を付し、その説明は省略する。（ｂ）は移動局５ａの送受信スロット構成を示したもので、一つのフレーム長がフレーム７１と同じ５ｍｓｅｃであるフレーム２１が２０個（順に２１ａ〜２１ｔと記す）連設され、全フレーム７４と同じフレーム長１００ｍｓｅｃ（＝５×２０ｍｓｅｃ）を有している。そして一つのフレーム２１は、図３の（Ｙ部）に示すように、順に受信スロット２２および送信スロット２３から構成され、受信スロット２２は、順に一つのスロットからなる制御スロット２２ａと複数のスロットからなる通信スロット２２ｂに、また送信スロット２３は、順に一つのスロットからなる制御スロット２３ａと複数のスロットからなる通信スロット２３ｂにより構成されている。また（ｃ）は移動局５ｂの送受信スロット構成を示したもので、一つのフレーム長がフレーム７１と同じ５ｍｓｅｃであるフレーム３１が２０個（順に３１ａ〜３１ｔと記す）連設され、全フレーム７４と同じフレーム長１００ｍｓｅｃ（＝５×２０ｍｓｅｃ）を有している。そして一つのフレーム３１は、図３の（Ｚ部）に示すように、順に受信スロット３２および送信スロット３３から構成され、受信スロット３２は、順に一つのスロットからなる制御スロット３２ａと複数のスロットからなる通信スロット３２ｂに、また送信スロット３３は、順に一つのスロットからなる制御スロット３３ａと複数のスロットからなる通信スロット３３ｂにより構成されている。
【００２３】
また、１３ａおよび１３ｂはリンクチャネル割当要求メッセージを示し、これは図２におけるリンクチャネル割当要求メッセージ１３に相当し、１４ａおよび１４ｂはリンクチャネル割当メッセージを示し、これは図２におけるリンクチャネル割当要求メッセージ１４に相当し、１５ａおよび１５ｂは位置登録要求メッセージを示し、これは図２における位置登録要求メッセージ１５に相当し、１６ａおよび１６ｂは位置登録受付メッセージを示し、これは図２における位置登録受付メッセージ１６の相当するものである。また１７は、制御チャネルの報知チャネルＢＣＣＨなどを用いて、基地局識別番号などの基地局情報を位置登録エリア１内に適時発信している基地局情報メッセージである。
【００２４】
次に、図１〜図３を参照して、動作について説明する。
【００２５】
まず、図１および図２を参照して、移動局５ａを基地局２に位置登録する位置登録方法について説明する。
【００２６】
移動局５ａは、例えば移動局５ｂ、５ｃなどの他の移動局と区別するために移動局識別番号８が割当てられ保持している。
【００２７】
移動局５ａは、まず制御チャネルの個別セル用チャネルＳＣＣＨで、リンクチャネルの割当てを要求するリンクチャネル確立要求メッセージ１３に移動局識別番号８を付加して基地局２に送信する。この移動局識別番号８は、リンクチャネル確立要求メッセージ１３を送信する個別セル用チャネルＳＣＣＨを構成する物理チャネルのデータ領域に付加される。
【００２８】
次にリンクチャネル確立要求メッセージ１３を受信した基地局２は、移動局５ａに制御チャネルの個別セル用チャネルＳＣＣＨで、リンクチャネルの割当を示したリンクチャネル割当メッセージ１４を返信するとともに、移動局５ａの移動局識別番号８を識別番号保管部１１に取得し保管する。なお、基地局２は、従来通り、リンクチャネル割当メッセージ１４にも移動局識別番号８を付加して送信している。
【００２９】
次にリンクチャネル割当メッセージ１４を受信した移動局５ａは、制御チャネルの高速付随制御チャネルＦＡＣＣＨで、位置登録を要求する位置登録要求メッセージ１５を基地局２に送信する。この時、位置登録要求メッセージ１５には移動局５ａを示す移動局識別番号８が付加される。また移動局識別番号８は、位置登録要求メッセージ１５を送信する高速付随制御チャネルＦＡＣＣＨを構成する物理スロットのデータ領域に付加される。
【００３０】
そして位置登録要求メッセージ１５を受信した基地局２は、識別番号比較部Ｂ１２により、この位置登録要求メッセージ１５に付加されている移動局識別番号８が、識別番号保管部１１に保管されていることを確認し、識別番号保管部１１に移動局識別番号８が保管されていることが確認できれば移動局５ａの位置登録処理を行う。
【００３１】
次に移動局５ａの位置登録処理を行った基地局２は、制御チャネルの高速付随制御チャネルＦＡＣＣＨで、位置登録の受付を示す位置登録受付メッセージ１６を移動局５ａに返信する。この時、位置登録受付メッセージ１６には、移動局５ａを示す移動局識別番号８が付加される。また移動局識別番号８は、位置登録受付メッセージ１６を送信する高速付随制御チャネルＦＡＣＣＨを構成する物理スロットのデータ領域に付加される。
【００３２】
そして位置登録受付メッセージ１６を受信した移動局５ａは、識別番号比較部Ａ１０により、この位置登録受付メッセージ１６に付加されている移動局識別番号８が、移動局５ａに割当てられ保持されている移動局識別番号８と一致することを確認し、一致が確認できれば位置登録受付メッセージ１６を受付けて位置登録を終了する。
【００３３】
以上の説明では、移動局５ａを基地局２に位置登録する位置登録方法を示したが、移動局５ｂ、５ｃなどの他の移動局についても同様の方法で位置登録が可能である。
【００３４】
次に、図１および図３を参照して、移動局５ａおよび５ｂを基地局２に位置登録する位置登録方法について、基地局２と移動局５ａおよび５ｂの間の位置登録に関して、各制御メッセージの送受信に係る制御スロットの割当動作から説明する。
【００３５】
基地局２は、全フレーム７４（フレーム７１ａ〜７１ｔ）の最初のフレーム７１ａの送信スロット７２の制御スロット７２ａから、適時制御チャネルの報知チャネルＢＣＣＨなどを用いて、基地局識別番号などの基地局情報メッセージ１７を、位置登録エリア１内に発信している。これは、従来より行われている動作である。そして、この基地局情報メッセージ１７は、移動局５ａにおける最初のフレーム２１ａの受信スロット２２の制御スロット２２ａおよび移動局５ｂにおける最初のフレーム３１ａの受信スロット３２の制御スロット３２ａで受信する。これにより、移動局５ａおよび５ｂは位置登録エリア１内にいることが判る。
【００３６】
そして、まず移動局５ａが、制御チャネルの個別セル用チャネルＳＣＣＨで、基地局２にリンクチャネルの割当を要求するリンクチャネル確立要求メッセージ１３ａを送信する。この送信は、移動局５ａにおける最初のフレーム２１ａの送信スロット２３の制御スロット２３ａから基地局２における最初のフレーム７１ａの受信スロット７３の制御スロット７３ａに対して行われる。
【００３７】
次にリンクチャネル確立要求メッセージ１３ａを受信した基地局２は、移動局５ａに制御チャネルの個別セル用チャネルＳＣＣＨで、リンクチャネルの割当を示すリンクチャネル割当メッセージ１４ａを返信する。この返信は、基地局２における最初から２番目のフレーム７１ｂの送信スロット７２の制御スロット７２ａから移動局５ａにおける最初から２番目のフレーム２１ｂの受信スロット２２の制御スロット２２ａに対して行われる。
【００３８】
同様に、移動局５ｂが制御チャネルの個別セル用チャネルＳＣＣＨで、基地局２にリンクチャネルの割当を要求するリンクチャネル確立要求メッセージ１３ｂを送信する。この送信は、移動局５ｂにおける最初から２番目のフレーム３１ｂの送信スロット３３の制御スロット３３ａから基地局２における最初から２番目のフレーム７１ｂの受信スロット７３の制御スロット７３ａに対して行われる。
【００３９】
そしてリンクチャネル確立要求メッセージ１３ｂを受信した基地局２は、移動局５ｂに制御チャネルの個別セル用チャネルＳＣＣＨで、リンクチャネルの割当を示すリンクチャネル割当メッセージ１４ｂを返信する。この返信は、基地局２における最初から３番目のフレーム７１ｃの送信スロット７２の制御スロット７２ａから移動局５ｂにおける最初から３番目のフレーム３１ｃの受信スロット３２の制御スロット３２ａに対して行われる。
【００４０】
次に、リンクチャネル割当メッセージ１４ａを受信した移動局５ａは、基地局２に制御チャネルの高速付随制御チャネルＦＡＣＣＨで、移動局５ａの位置登録を要求する位置登録要求メッセージ１５ａを送信する。この送信は、移動局５ａにおける最初から３番目のフレーム２１ｃの送信スロット２３の制御スロット２３ａから基地局２における最初から３番目のフレーム７１ｃの受信スロット７３の制御スロット７３ａに対して行われる。
【００４１】
そして、位置登録要求メッセージ１５ａを受信した基地局２は、移動局５ａに制御チャネルの高速付随制御チャネルＦＡＣＣＨで、移動局５ａの位置登録受付けを示す位置登録受付メッセージ１６ａを返信し、移動局５ａが受付けることで位置登録を終了する。この返信は、基地局２における最初から４番目のフレーム７１ｄの送信スロット７２の制御スロット７２ａから移動局５ａにおける最初から４番目のフレーム２１ｄの受信スロット２２の制御スロット２２ａに対して行われる。
【００４２】
同様に、リンクチャネル割当メッセージ１４ｂを受信した移動局５ｂは、基地局２に制御チャネルの高速付随制御チャネルＦＡＣＣＨで、移動局５ｂの位置登録を要求する位置登録要求メッセージ１５ｂを送信する。この送信は、移動局５ｂにおける最初から４番目のフレーム３１ｄの送信スロット３３の制御スロット３３ａから基地局２における最初から４番目のフレーム７１ｄの受信スロット７３の制御スロット７３ａに対して行われる。
【００４３】
そして位置登録要求メッセージ１５ｂを受信した基地局２は、移動局５ｂに制御チャネルの高速付随制御チャネルＦＡＣＣＨで、移動局５ｂの位置登録受付けを示す位置登録受付メッセージ１６ｂを返信し、移動局５ｂが受付けることで位置登録を終了する。この返信は、基地局２における最初から５番目のフレーム７１ｅの送信スロット７２の制御スロット７２ａから移動局５ｂにおける最初から５番目のフレーム３１ｅの受信スロット３２の制御スロット３２ａに対して行われる。
【００４４】
なお、この図３に係る説明では、図２に示したような移動局識別番号８についての記載はないが、当然のことながら、移動局５ａには移動局識別番号８が割当てられ、移動局５ｂについては移動局５ｂを示す無図示の移動局識別番号が割当てられており、図２に示したと同様に、リンクチャネル確立要求メッセージ１３ａ、１３ｂ、位置登録要求メッセージ１５ａ、１５ｂおよび位置登録受付メッセージ１６ａ、１６ｂにそれぞれ付加されて送受信され、移動局５ａ、５ｂおよび基地局２において処理されるものである。
【００４５】
また、この図３に係る説明では、基地局２と移動局５ａおよび移動局５ｂの間の位置登録に係る各制御メッセージの送受信についての制御スロットの割当動作を示したが、このことは位置登録を要求する移動局が増えた場合についても当然対応可能であり、この場合、未使用の制御スロットを任意に割当てることになる。
【００４６】
更に、この図３に係る説明では、基地局２と移動局５ａおよび移動局５ｂの制御スロットを順次割当て移動局５ａおよび移動局５ｂの位置登録方法について説明したが、これはあくまで一実施例を示したものであり、特に使用する制御スロットを限定するものではなく、送受信可能な制御メッセージから順に未使用の制御スロットを割当てればよいのである。
【００４７】
また、図２および図３に係る説明では、基地局２が位置登録要求メッセージ１５aまたは１５ｂを受信した後に、位置登録受付メッセージ１６aまたは１６ｂを移動局５aまたは５ｂに送信する動作を示したが、位置登録要求メッセージ１５aまたは１５ｂと位置登録受付メッセージ１６aまたは１６ｂが送受信される間に、基地局２から移動局５ａまたは５ｂに高速付随チャネルＦＡＣＣＨを用いたメッセージを送信しても良く、移動局５ａまたは５ｂから基地局２に高速付随チャネルＦＡＣＣＨを用いたメッセージを送信しても良い。この場合、基地局２と移動局５aまたは５ｂは、位置登録要求メッセージ１５aまたは１５ｂや位置登録受付メッセージ１６aまたは１６ｂの送受信時と同様に、移動局識別番号の当該メッセージへの付加、比較などの動作を行う。
【００４８】
この実施の形態１では、移動局５ａが移動局識別番号８を付加したリンクチャネル確立要求メッセージ１３を基地局２に送信し、このリンクチャネル確立要求メッセージ１３を受信した基地局２は、移動局識別番号８を保管し、移動局５ａにリンクチャネル割当メッセージ１４を返信し、このリンクチャネル割当メッセージ１４を受信した移動局５ａは、移動局識別番号８を付加した位置登録要求メッセージ１５を基地局２に送信し、この位置登録要求メッセージ１５を受信した基地局２は、付加された移動局識別番号８が保管されていることを確認して位置登録を行うとともに、移動局識別番号８を付加した位置登録受付メッセージ１６を移動局５ａに返信し、この位置登録受付メッセージ１６を受信した移動局５ａは、位置登録受付メッセージ１６に付加された移動局識別番号８を確認して位置登録受付メッセージ１６を受付け、位置登録を完了するようにし、また移動局５ｂなどの他の移動局も同様の方法で位置登録をするようにして、基地局２において、従来未使用であった全フレーム７４（フレーム７１ａ〜フレーム７１ｔ）の２番目以降のフレーム７１ｂ〜７１ｔの送信スロット７２の制御スロット７２ａを用いた各制御メッセージの送信を可能としたため、従来からの移動局の電力の消耗を極力減らすことによる長時間の待受け状態の維持とともに、例えば、電車やバス等による高速移動に伴う移動局の大量移動により、基地局に対する複数の移動局の位置登録要求が同時期に発生するような場合においても、短時間で複数の移動局の位置登録を完了させて通話サービス可能な状態を実現する移動局の位置登録方法を提供できる効果がある。
【００４９】
実施の形態２
次に、この発明の実施の形態２に係る移動局の位置登録方法について説明する。
【００５０】
図４は、一実施例として、移動局５ａを基地局２に位置登録する場合に、移動局５ａの位置登録過程を、制御スロットに対する割当動作から見たシーケンス図である。
【００５１】
図４において、実施の形態１と異なるところは、実施の形態１で示した基地局２から移動局５ａに送信されるリンクチャネル割当メッセージ１４に、基地局２と移動局５ａとの間で送受信される位置登録要求メッセージ１５および位置登録受付メッセージ１６に用いられる基地局２と移動局５ａの制御スロットを割当てるタイミング情報を付加した新たなリンクチャネル割当メッセージ１８を用いたことである。なお、図４で使用した符号のうち、実施の形態１で使用した符号と同一のものは、同一または相当品を示し、説明は省略する。
【００５２】
次に、図４を参照して、動作について、実施の形態１と異なる点について説明する。
【００５３】
リンクチャネル割当メッセージ１８には、位置登録要求メッセージ１５を送受信する制御スロットとして、移動局５ａにおいては、フレーム２１ｇの送信スロット２３の制御スロット２３ａを、また基地局２においては、フレーム７１ｇの受信スロット７３の制御スロット７３ａを割当てるタイミング情報が付加され、また位置登録受付メッセージ１６を送受信する制御スロットとして、基地局２においては、フレーム７１ｈの送信スロット７２の制御スロット７２ａを、また移動局５ａにおいては、フレーム２１ｈの受信スロット２２の制御スロット２２ａを割当てるタイミング情報が付加されているのである。そして基地局２と移動局５ａの間で、この割当てられた制御スロットを用いて位置登録要求メッセージ１５および位置登録受付メッセージ１６の送受信が行われるのである。その他の動作については実施の形態１と同じである。
【００５４】
この実施の形態２によれば、実施の形態１で示した基地局２から移動局５ａに送信されるリンクチャネル割当メッセージ１４に、基地局２と移動局５ａとの間で送受信される位置登録要求メッセージ１５および位置登録受付メッセージ１６に用いられる基地局２と移動局５ａの制御スロットを割当てるタイミング情報を付加した新たなリンクチャネル割当メッセージ１８を用いたため、実施の形態１の効果に加え、移動局５ａについては、割当てられた制御スロットによる位置登録処理時のみ駆動させればよいため、一層省電力を実現する効果を有する。
【００５５】
なお、この実施の形態２においては、移動局５ａを基地局２に位置登録する位置登録方法について示したが、当然のことながら、例えば移動局５ｂ、５ｃなどの他の移動局においても、同様に制御スロットを割当てることが可能である。
【００５６】
また、この実施の形態２においては、フレーム７１ｇとフレーム７１ｈのような隣接したフレームを割当て、位置登録要求メッセージ１５および位置登録受付メッセージ１６を送受信するものを示したが、特に隣接したフレームを用いる必要はなく、任意に割当て可能である。例えば、基地局２においては、フレーム７１ｇとフレーム７１ｔなどを割当てることも可能である。また全フレーム７４を跨いで割当てることも当然可能である。
【００５７】
また、図４に係る説明では、基地局２が位置登録要求メッセージ１５を受信した後に、位置登録受付メッセージ１６を移動局５aに送信する動作を示したが、実施の形態１と同様、位置登録要求メッセージ１５または位置登録受付メッセージ１６が送受信される間に、基地局２から移動局５aに高速付随チャネルＦＡＣＣＨを用いたメッセージを送信しても良く、移動局５aから基地局２に高速付随チャネルＦＡＣＣＨを用いたメッセージを送信しても良い。この場合、基地局２および移動局５aは、位置登録要求メッセージ１５や位置登録受付メッセージ１６の送受信時と同様に、移動局識別番号の当該メッセージへの付加、比較などの動作を行う。
【００５８】
実施の形態３
次に、この発明の実施の形態３に係る移動局に位置登録方法について説明する。
【００５９】
図５は、一実施例として、移動局５ａ、基地局２および上位装置７の間で、移動局５ａの位置登録過程を示したシーケンス図である。
【００６０】
図５において、実施の形態１と異なるところは、移動局５ａの基地局２への位置登録過程に関しては、上位装置７を示したことにより、位置登録要求メッセージ１５が基地局２を介して上位装置７に送信され、この位置登録要求メッセージ１５を受信した上位装置７は、基地局２を介して移動局５ａに、移動局５ａを認証するための認証情報を付加した認証要求メッセージ４０を送信し、この認証要求メッセージ４０を受信した移動局５ａは、基地局２を介して上位装置７に、認証情報に基づいた認証結果を付加した認証応答メッセージ４１を返信し、この認証応答メッセージ４１を受信した上位装置７は、この認証結果に基づいて移動局５ａが上位装置７に登録されていることが確認できると、基地局２に位置登録受付を許可する位置登録受付メッセージ１６を送信する点である。その他については実施の形態１で示したものと同様である。そして以上に示したような位置登録に係る制御メッセージは順序立てて送受信が必要なものである。
【００６１】
一方、制御メッセージには移動局５ａと基地局２の間のみで任意に送受信され順序立てが不要なものがある。４２および４３は、この順序立てた送受信が不要な制御メッセージを示し、４２は移動局５aから基地局２に対して送信される、例えば、定義情報要求メッセージ、機能要求メッセージおよび位置登録エリア報告メッセージなどの移動局メッセージであり、また４３は、この移動局メッセージ４２の内容に基づいて基地局２から移動局５aに対して送信される、例えば定義情報応答メッセージ、機能応答メッセージなどの基地局メッセージである。そして、この移動局メッセージ４２および基地局メッセージ４３は、必要に応じて一括あるいは分割して送受信可能な制御メッセージである。
【００６２】
なお、図５において新たに示した認証要求メッセージ４０、認証応答メッセージ４１、移動局メッセージ４２および基地局メッセージ４３は、制御チャネルの高速付随制御チャネルＦＡＣＣＨが用いられる。
【００６３】
また図５で使用した符号のうち、実施の形態１で使用した符号と同一のものは、同一または相当品を示し、説明は省略する。
【００６４】
次に、図５を参照して、動作について実施の形態１と異なる点について説明する。
【００６５】
移動局５ａ、基地局２および上位装置７の間で送受信される移動局５ａの位置登録に係る各制御メッセージ（リンクチャネル確立要求メッセージ１３、リンクチャネル割当メッセージ１４、位置登録要求メッセージ１５、認証要求メッセージ４０、認証応答メッセージ４１、位置登録受付メッセージ１６）は、順序立てて移動局５ａの位置登録を行うものであり、移動局５ａの位置登録は、実施の形態１と同様に進められるのであるが、通常、移動局５ａ、基地局２および上位装置７の間で、移動局５ａの位置登録に係る各制御メッセージの送受信を伴う場合、各制御メッセージの送受信に時間を要する場合があり、その結果、移動局５ａおよび基地局２に未使用の制御スロットが生じることがある。ここでは、この未使用の制御スロットを用いて、順序立てが不要で、任意に送受信が可能な制御メッセージである移動局メッセージ４２および基地局メッセージ４３を一括あるいは分割して移動局５ａと基地局２の間で送受信する。例えば、図５においては、位置登録要求メッセージ１５と認証要求メッセージ４０の間に生じた移動局５ａと基地局２の未使用の制御スロットを用いて、移動局５ａから基地局２に移動局メッセージ４２を一括して送信し、また基地局２から移動局５ａに基地局メッセージ４３を一括して返信しているのである。
【００６６】
この実施の形態３によれば、移動局５ａ、基地局２および上位装置７の間で送受信される移動局５ａの位置登録に係る各制御メッセージ（リンクチャネル確立要求メッセージ１３、リンクチャネル割当メッセージ１４、位置登録要求メッセージ１５、認証要求メッセージ４０、認証応答メッセージ４１、位置登録受付メッセージ１６）間に生じる、移動局５ａおよび基地局２の未使用の制御スロットを用いて、順序立てが不要な制御メッセージ（移動局メッセージ４２および基地局メッセージ４３）の送受信を移動局５ａと基地局２の間で一括あるいは分割して行うようにしたので、移動局５ａと基地局２の制御スロットが有効に活用されることになり、実施の形態１における位置登録時間短縮の効果が一層促進される効果がある。
【００６７】
なお、この実施の形態３によれば、移動局５ａの位置登録方法について示しているが、移動局が増えた場合においても、同様に対応可能である。
【００６８】
さらに、この実施の形態３によれば、図５において、位置登録要求メッセージ１５と認証要求メッセージ４０の間で移動局メッセージ４２と基地局メッセージ４３を送受信するものを示したが、これはあくまで一例を示したものであり、特に限定しているものではない。つまり、位置登録に係る各制御メッセージの送受信の間で未使用の制御スロットが生じれば、その未使用の制御スロットの使用が可能である。
【００６９】
また、実施の形態１〜３によれば、上位装置７に位置登録エリア１内にある基地局２および移動局４ａ〜４ｃ，５ａ〜５ｃの運用状態の監視ならびに位置登録時に移動局５ａ〜５ｃの認証などの機能を備えたものを示したが、この機能は基地局２に備えてもよく、この場合、図１において、上位装置７は無くなり、ネットワーク６には、位置登録エリア１の基地局２および無図示の他の位置登録エリアの基地局が接続される。
【図面の簡単な説明】
【００７０】
【図１】この発明に係る移動体通信システムの概要図である。
【図２】この発明の実施の形態１に係る移動局の位置登録方法を示したシーケンス図である。
【図３】この発明の実施の形態１に係る移動局の位置登録方法を制御スロットの割当から示したシーケンス図である。
【図４】この発明の実施の形態２に係る移動局の位置登録方法を制御スロットの割当から示したシーケンス図である。
【図５】この発明の実施の形態３に係る移動局の位置登録方法を示したシーケンス図である。
【図６】一般的な基地局が有する送受信スロットを示した構成図である。
【符号の説明】
【００７１】
１      位置登録エリア
２      基地局
３      空中線
４ａ〜４ｃ  通話可能な移動局
５ａ〜５ｃ  位置登録を要求する移動局
６      ネットワーク
７      上位装置
８      移動局識別番号
１０    識別番号比較部Ａ
１１    識別番号保管部
１２    識別番号比較部Ｂ
１３    リンクチャネル確立要求メッセージ
１４    リンクチャネル割当メッセージ
１５    位置登録要求メッセージ
１６    位置登録受付メッセージ
【図１】
0004613717.tif 000002
【図２】
0004613717.tif 000003
【図３】
0004613717.tif 000004
【図４】
0004613717.tif 000005
【図５】
0004613717.tif 000006
【図６】
0004613717.tif 000007